(57)【要約】【課題】互いに引き離した位置に配置される第一、第二作動機構に単一のモータの回転を択一的に伝達する。【解決手段】第一作動機構としてのピックアップ１２を駆動する第一ギヤ１９と、第二作動機構としてのディスクローディングローラを駆動する第二ギヤ２５とを再生基板９ディスク搬送路の左右に設ける。そして、これら第一、第二ギヤに噛合うウォームギヤ２１、２３をディスク搬送路の左右に夫々設け、第一作動機構のモータ２０で両ウォームギヤを回転する。そして、第一、第二を支持するギヤ支持板を移動させてモータの回転伝達を第一作動機構から第二作動機構に切換える。【選択図】　　　　図１
2004036738.tif 000002
【特許請求の範囲】
【請求項１】
所定の動作を行なう第一および第二作動機構の一方に、モータの動力を択一的に伝達する作動機構への動力伝達切換装置において、
前記モータに駆動される長尺回転体の一端側に第一ウォームギヤ、他端側に第二ウォームギヤを設け、
第一ウォームギヤに噛合う第一ギヤと第二ウォームギヤに噛合う第二ギヤとを前記長尺回転体の軸と平行に移動自在なギヤ支持部材にて支持し、
第一ギヤに第一作動機構の第一入力ギヤを対峙させ、
第二ギヤに第二作動機構の第二入力ギヤを対峙させ、
前記ギヤ支持部材の移動により、長尺回転体の回転を前記第一作動機構と前記第二作動機構とに択一的に伝達することを特徴とする作動機構への動力伝達切換装置。
【請求項２】
前記長尺回転体を前記モータの回転軸としたことを特徴とする請求項１に記載の作動機構への動力伝達切換装置。
【請求項３】
前記ギヤ支持部材の移動を禁止して前記第一ウォームギヤと第一ギヤとの噛合いを維持する第一ロック機構と、
前記ギヤ支持部材の移動を禁止して前記第二ウォームギヤと第二ギヤとの噛合いを維持する第二ロック機構と、を具備したことを特徴とする請求項１に記載の作動機構への動力伝達切換装置。
【請求項４】
前記第一作動機構は、光学ピックアップをディスクの半径方向に向けて進退移動させるピックアップ駆動機構とし、前記第二作動機構は、ディスクを再生位置に搬送するディスクローディング機構と、再生位置に搬送されたディスクをターンテーブルと一体回転させるディスククランプ機構とからなる再生準備機構としたことを特徴とする請求項３に記載の作動機構への動力伝達切換装置。
【請求項５】
前記光学ピックアップを駆動する第一入力ギヤと前記モータとをディスク搬送路の片側に配置し、
前記再生準備機構を駆動する第二入力ギヤをディスク搬送路の他側に配置したことを特徴とする請求項４に記載の作動機構への動力伝達切換装置。
【発明の詳細な説明】
【０００１】
【発明が属する技術分野】
本発明は、所定の動作を行なう第一および第二作動機構の一方に、モータの動力を択一的に伝達する作動機構への動力伝達切換装置に関する。
【０００２】
【従来の技術】
車載用のディスク再生装置において、ピックアップ駆動用のモータを使ってディスクのローディングを行うディスクローディング装置が、特開２００１‐２８３４９３号公報に開示されている。このディスクローディング装置は、単一のモータの回転をウォームギヤに伝え、このウォームギヤをピックアップ駆動用のギヤと、ディスクローディング用のギヤとに択一的に噛合わせることで、ピックアップの駆動機構とディスクローディング機構とへの動力伝達の切換えを行わせている。
すなわち、第一作動機構としてのピックアップ駆動機構と、第二作動機構としてのディスクローディング機構とに単一のモータの動力を、ウォームギヤを使って択一的に伝達するようにした作動機構への動力伝達切換装置が使われている。
【０００３】
【発明が解決しようとする課題】
車載用のディスク再生装置ではディスク再生装置を車両に装着するとき、電気系統の接続をコネクタで行うことがある。このコネクタは比較的大型のものが使用され、設置場所はディスクの挿入口からみてディスク再生装置の奥壁の左側となっている。このような大型のコネクタを取付けたディスク再生装置では、ピックアップを取付ける再生基板の左奥の一部をカットしないと、ディスク再生機がディスク再生装置の中に収まらなくなる。
【０００４】
前記特開２００１‐２８３４９３号公報に示されるディスク再生機では、ピックアップを再生基板の左奥のコーナに向けて移動自在に取付けて、ディスク再生機の小型化を図っている。そして、このピックアップを移動自在させるピックアップ駆動機構がディスクの搬送路の右側の再生基板上に配置されている。また、複数のギヤを組合せたディスクローディング機構がディスクの搬送路の右側の再生基板上に配置されている。この特開２００１‐２８３４９３号公報に示されるディスク再生機において、再生基板の左奥をカットすると、ピックアップは再生基板の右奥のコーナに向けて移動自在に配置するようになる。すると再生基板の右側にはピックアップ駆動機構しか配置できず、ディスクローディング機構を設置するスペースが無くなる。ディスクローディング機構をピックアップ駆動機構に重なるように配置すると、下側になった機構の補修が難しくなる他、装置が複雑化する。
【０００５】
このような場合、ディスクローディング機構を再生基板の左側に配置すればよい。しかし、ピックアップ駆動機構とディスクローディング機構との距離が離れると、ターンテーブルモータとローデイングローラとで挟まれる狭い空間を介して動力伝達を行うことから、ディスクローディング機構への動力伝達が困難になる。この結果、ディスクローディング機構への動力伝達は専用のモータを使うことになるが、これはモータの制御回路を含めるとディスク再生機を高価なものにしてしまう。
本発明は、二つの作動機構を引き離して配置するような場合において、一方の作動機構を駆動するモータで他方の作動機構を簡単で安価に駆動切換えできるようにした作動機構への動力伝達切換装置装置を提供することを目的とする。
【０００６】
【課題を解決するための手段】
本発明の作動機構への動力伝達切換装置は、所定の動作を行なう第一および第二作動機構の一方に、モータの動力を択一的に伝達する場合において、前記モータに駆動される長尺回転体の一端側に第一ウォームギヤ、他端側に第二ウォームギヤを設ける。そして、第一ウォームギヤに噛合う第一ギヤと第二ウォームギヤに噛合う第二ギヤとを前記長尺回転体の軸と平行に移動自在なギヤ支持部材にて支持し、第一ギヤに第一作動機構の第一入力ギヤを対峙させ、第二ギヤに第二作動機構の第二入力ギヤを対峙させて、前記ギヤ支持部材の移動により、長尺回転体の回転を前記第一作動機構と前記第二作動機構とに択一的に伝達させた。
第一および第二作動機構への動力伝達を長尺の回転体を介して行うことで、狭い空間を通して動力伝達を行える。そして、ギヤ支持部材を移動させることで、長尺回転体の回転を前記第一作動機構と前記第二作動機構とに択一的に伝達することができる。
【０００７】
前記長尺回転体を前記モータの回転軸とすると一層の簡素化が図れる。また、前記ギヤ支持部材の移動を禁止して前記第一ウォームギヤと第一ギヤとの噛合いを維持する第一ロック機構と、前記ギヤ支持部材の移動を禁止して前記第二ウォームギヤと第二ギヤとの噛合いを維持する第二ロック機構とを具備すると、第一及び第二作動機構への回転伝達の状態を維持することができる。さらに前記第一作動機構は、光学ピックアップをディスクの半径方向に向けて進退移動させるピックアップ駆動機構とし、前記第二作動機構は、ディスクを再生位置に搬送するディスクローディング機構と、再生位置に搬送されたディスクをターンテーブルと一体回転させるディスククランプ機構とからなる再生準備機構とすると、ディスク再生機の動力伝達切換装置を簡素化することができる。
【０００８】
前記光学ピックアップを駆動する作動ギヤと前記モータとをディスク搬送路の片側に配置し、前記再生準備機構を駆動する入力ギヤをディスク搬送路の他側に配置しても長尺回転体を介して再生準備機構のモータの動力を伝達することができる。
【０００９】
【発明の実施の形態】
本発明の作動機構への動力伝達切換装置を、車載用のディスク再生装置に応用した例として説明する。図１は、車載用のディスク再生装置の平面図を示す。ディスク再生装置１は、内部にディスク再生機２を収容する金属板のキャビネット３と、この前面にディスクを装着する挿入口４を有する合成樹脂製のフロントパネル５とで構成されている。キャビネット３の外形は、図１において横幅が１７８ミリ、縦が１５０ミリの大きさで、ＤＩＮ規格で定められる車両のラジオ等の装着孔に容易に装着できる大きさにしている。このキャビネット３は、挿入口から見てキャビネット３の奥壁６の左側には横幅が５７ミリ、縦が２６ミリのコネクタ７が設けられている。ここに設けられるコネクタ７は、ディスク再生装置１を車両の装着孔に差し込むと、装着孔の奥に設けられるプラグと係合して、ディスク再生装置１と車両とを電気的に接続するものとなっている。
【００１０】
フロントパネル５は横幅が１８２ミリ、縦が１５から２０ミリの大きさで前面にディスク挿入口４が設けられるほか、各種の操作釦やデイスプレーが設けられる。ディスク再生機２は、金属製の薄板からなる箱型の外シャーシ８と、外シャーシ８の内部に外シャーシ８の各内壁から４ミリ程度の空間を隔てた外周を有する再生基板９とで形成される。再生基板９の平面の大きさは、大径ディスク１０の外周が再生基板９の内部に納まる大きさに設定されている。この再生基板９は、キャビネット３に設置されるコネクタ７との当接を回避するため、挿入口４から見て左奥のコーナ９ａが切り取られている。また、ディスクを再生するとき、再生基板９はバネ等により外シャーシ８に対してフローティングされた状態に支持されている。
【００１１】
再生基板９の上面には、中心にターンテーブル１１がターンテーブルモータ１１ａに取付けられている。また、ピックアップ１２がこのターンテーブル１１から再生基板９の右奥のコ‐ナ９ｂに向けて移動自在に取付けられている。そして、ターンテーブル１１と挿入口４との間には、大径ディスク１０（直径１２０ミリ径ディスク）並びに小径ディスク１３（直径８０ミリ径ディスク）を搬送可能なローディングローラ１４が配置している。このローデイングローラ１４は、両端の直径が中央の直径より太いテーパ状のゴムローラとなっており、挿入口４とターンテーブル１１とを結ぶディスク搬送路に対して直交するように再生基板９に取付けられている。また、このローディングローラ１４は再生基板９の面に対して昇降できるようにローラ支持板１５に取付けられている。
【００１２】
前記ピックアップ１２は、挿入口４から見て右側に形成される軸孔に直径３．５ミリのガイド軸１６が挿通されて再生基板９に支持されている。また、ピックアップ１２の挿入口４から見て左側は、再生基板９から折り曲げ形成された板９ｃで支持されている。ピックアップ１２は、主としてガイド軸１６でターンテーブル１１と再生基板９の右奥コーナ９ｂとの間の移動を案内される。ピックアップ１２にはこのガイド軸１６側に第一ラック板１７が取付けられ、この第一ラック板１７に噛合う駆動ギヤ１８（第一入力ギヤ）が再生基板９に取付けられる。この駆動ギヤ１８、第一ラック１７及びピックアップ１２がピックアップ駆動機構（第一作動機構）を構成し、駆動ギヤ１８が回転することでピックアップ１２はディスクの半径方向に進退移動することができる。
【００１３】
そして、駆動ギヤ１８の近くにこの駆動ギヤ１８と噛合い可能な第一ギヤ１９（第一ギヤ）が配置され、この第一ギヤ１９は、モータ２０の回転軸に一端側を取付けた第一ウォームギヤ２１に常時噛合っている。この第一ウォームギヤ２１は、再生基板９のディスク搬送路の右側で、ピックアップ１２とローディングローラ１４とに挟まれる狭い空間に配置されている。この第一ウォームギヤ２１の他端には細長い回転軸２２が取付けられ、この回転軸２２の先端に第二ウォームギヤ２３が再生基板９の左側に到達する位置に取付けられている。そして、この第一ウォームギヤ２１、回転軸２２、第二ウォームギヤ２３は長尺回転体としてローデングローラ１４の回転軸と平行になるよう軸受け２４で再生基板９に取付けられている。
【００１４】
また、第二ウォームギヤ２３に常時噛合う第二ギヤ２５（第二入力ギヤ）が、再生基板９のディスク搬送路の左側に配置されている。前記第一ギヤ２１とこの第二ギヤ２３とは、ローディングローラ１４の回転軸の軸方向に移動自在なギヤ支持板２６に取付けられている。そして、第一、第二ギヤ１９、２５は、その回転抵抗で第一、第二ウォームギヤ２１、２３の推力により、第一、第二ウォームギヤ２１、２３の回転方向に応じてギヤ支持板２６を第一及び第二ギヤ１９、２５とともにローディングローラ１４の回転軸方向の一方、ないし他方に移動付勢される。一方、前記第一ラック板１７には、ギヤ支持板２６の移動を適宜係止する回動自在な第一係止片３９が係合している。この第一係止片３９は、ピックアップ１２がターンテーブル１１に接近した位置でギヤ支持板２６の移動をロックするもので、第一ラック板１７には、第一係止片３９のピン４２ａとギヤ支持板２６の鍵穴４１ａとを係合状態に維持するカム４０が設けられている。この第一係止板３９、ピン４２ａ、鍵穴４１ａ、カム４０が第一ロック機構を構成している。
【００１５】
前記第二ギヤ２５は第三ギヤ２７と対峙しており、この第三ギヤ２７は第四ギヤ２８と第五ギヤ２９とに常時噛合っている。そして、第四ギヤ２８はローディングローラ１４に回転を伝えるギヤ３０に噛合っており、モータ２０の回転が第１ウォームギヤ２１、回転軸２２、第二ウォームギヤ２３、第二ギヤ２５、第三ギヤ２７、第四ギヤ２８を介してギヤ３０に伝わるとローディングローラ１４が回転をする。すなわち、第二ウォームギヤ２３、第二ギヤ２５、第三ギヤ２７、第四ギヤ２８、ギヤ３０、ローディングローラ１４がディスクローディング機構を構成する。一方、第五ギヤ２９は第二ラック板３１に対峙している。この第二ラック板３１は、図２に示すトリガ３２がターンテーブル１１の上に搬送されたディスクに押されると、第五ギヤ２９にラックが噛合わされて、第五ギヤ２９の回転でディスクの搬送路に添って進退移動をする。そしてこの第二ラック板３１は、進退移動することで再生基板９の左側面に取付けられた第一制御板３３を進退移動させる。
【００１６】
上記第一制御板３３は進退移動することで、図２に示すクランパ３４を回転自在に支持するクランパ支持板３５を作動させて、クランパ３４でディスクをターンテーブル１１に挟持及び解放させる外、前記ローラ支持板１５を再生基板９に対して昇降移動させる。この、第五ギヤ２９、第二ラック板３１、トリガ３２、第一制御板３３、クランパ３４、クランパ支持板３５がディスククランプ機構となっている。そして、前記ディスクローディング機構とディスククランプ機構とで第二作動機構を形成している。また、フローティング支持された再生基板９を外シャーシ８に対して固定及び固定解除を行うものとなっている。また再生基板９の右側面には第二制御板３６が進退可能に取付けている。この第二制御板３６は、ローラ支持板１５を介して第一制御板３３の進退移動動作が伝えられ、第一制御板３３と同じ方向に進退移動を行うようにしている。この第二制御板３６には再生基板９の面上を移動する二本の押圧片３７が設けられ、この押圧片３７の間に回動自在な第二係止片３８の先端が挟まれている。
【００１７】
第二係止片３８は前記ギヤ支持板２６の移動を適宜係止するもので、ディスクがターンテーブル上に搬送中のときは、第二ギヤ２５と第三ギヤ２７との噛合状態を維持する位置にギヤ支持板２６をロックする。また、ディスクがターンテーブル１１上に搬送された後、に第二制御板３６が移動することで第二係止片３８は、押圧片３７に押されて回動し、ギヤ支持板２６のロックを解除する。この第二係止片３８によるギヤ支持板２６のロック及びロック解除は、ギヤ支持板２６に設けられた鍵穴４１ｂに第二係止片３８に設けられたピン４２ｂを嵌合させ、第二係止片３８の回動でピン４２ｂを鍵穴４１ｂの縁に係脱させて行われる。この押圧片３７、第二係止片３８、ピン４２ｂ、鍵穴４１ｂが第二ロック機構を構成している。
【００１８】
図２は本発明のディスク再生機２をディスクの挿入口側から見た斜視図で、ローディングローラ１４の上方には挿入口４に挿入されたディスクをローデングローラ１４で挟持するガイド板４３が設けられ、このガイド板４３のさらに上面には大小径ディスク１０、１３の中心をターンテーブル１１の中心に一致させるセンタリングレバー４４がディスク搬送路の左右に設けられている。ターンテーブル１１の上方にはクランパ３４がクランパ支持板３５に支持されている。このクランパ支持板３５は、再生基板９の奥側で回動自在に支持され、図示しないばねでクランパ３４をターンテーブル１１に接近させる方向に付勢されている。そして、クランパ支持板３５の左辺には第一制御板３３に設けられたクランク孔４５に嵌合する軸４６が形成され、第一制御板３３の進退移動でクランク孔４５が軸４６を介してクランパ３４をターンテーブル１１に対して接離移動させる。
【００１９】
また第一、第二制御板３３、３６の一端にはローラ支持板１５の回動先端に嵌合する円弧溝４７が形成されており、第一制御板３３が挿入口に向けて動すると、第一制御板４４の円弧溝４７がローラ支持板１５を回動させてローディングローラ１４をガイド板４３から離反させ、かつ回動するローラ支持板１５が第二制御板３６を挿入口に向けて移動させるようにしている。一方、前記ガイド板４３の上面に設けられた左側のセンタリングレバー４４の隣にはディスク搬送路に添う方向に移動可能なスライド板４８が設けられ、このスライド板４８は前記トリガ３２に係合しており、ターンテーブル１１上に搬送されるディスクの外径の大きさに応じてトリガ３２の作動位置を異ならせるようにしている。
【００２０】
図３から図５に亘ってピックアップ駆動用のモータ２０でディスクのローディングを行わせる動作の説明する。図３ではギヤ支持板２６が、第二ギヤ２５と第三ギヤ２７とを噛合せ、第一ギヤ１９と駆動ギヤ１８とが噛合わない位置に第二係止片３８でロックされている。このときモータ２０の回転は、第一ウォームギヤ２１、回転軸２２、第二ウォームギヤ２３、第二ギヤ２５、第三ギヤ２７、第四ギヤ２８、ギヤ３０を介してローディングローラ１４に伝わっている。一方、第三ギヤ２７により回転する第五ギヤ２９は第二ラック板３１のラックが噛合っておらず、第一制御板３３は初期位置に留まっている。
【００２１】
そして、挿入口４に挿入されたディスクがローディングローラ１４とガイド板４３とで挟持されてターンテーブル１１の上まで搬送されると、搬送されたディスクの外周がトリガ３２を押圧して、第二ラック板３１のラックを第五ギヤ２９に噛合わせる。この噛合いにより図４に示すように第一制御板３３は矢印方向の移動を開始し、ローラ支持板１５を回動させてローディングローラ１４をディスク及びガイド板４３から離反させる。また、第一制御板３３は矢印方向に移動することでローラ支持板１５を介して第二制御板３６を同じ方向に移動させる。
【００２２】
第二制御板３６は第一制御板３３と同じ方向に移動することで第二係止片３８を押圧して第二係止片３８によるギヤ支持板２６のロックを解除する。一方、第一制御板３３は矢印方向に移動することでクランク孔４６がクランパ支持板３５を回動させディスクをターンテーブル１１上にクランパ３４で挟持する。第二係止片３８によるロックが解かれたギヤ支持板２６は、第一ギヤ１９及び第二ギヤ２５が第一及び第二ウォームギヤ２１、２３の推力を受けて、図中右方への移動を開始する。すると第二ギヤ２５と第三ギヤ２７との噛合いが外れて、ローデイングローラ１４と第一制御板３３とへの回転伝達伝達が遮断される。
【００２３】
一方、図５に示すように第一ギヤ１９は右方に移動することで駆動ギヤ１８に噛合ってモータ２０の回転を第一ウォームギヤ２１、第一ギヤ１９、駆動ギヤ１８、第一ラック板１７を介してピックアップ１２に伝える。するとピックアップ１２はモータ２０の回転を受けて再生基板９の右コーナ９ｂに向けて移動を開始する。このピックアップ１２の移動で第一ラック板１７に形成したカム４０が第一係止片３９を回動させて、第一係止片３９がギヤ支持板２６をロックする。そして、ピックアップ１２がターンテーブル１１から離れた所を移動をしている間、カム４０が第一係止片３９によるギヤ支持板２６のロック状態を維持している。また、第一及び第二ウォームギヤ２１、２３を細長い回転軸２２で連結していることで、ピックアップを駆動する第一ラック板１７を、両ウォームギヤの間を通過させて、装置の小型化をを図っている。
【００２４】
本実施例の作動機構への動力伝達切換装置では、ピックアップ１２を再生基板９の右コーナ９ｂに向けて移動するよう取付け、ディスクローディング機構の第二ギヤ２５をディスク搬送路の左側に配置して、第二ギヤ２５に細長いウォームギヤ２３を介してモータ２０の回転を伝達するようにした。これによって、ピックアップ駆動機構とディスクローディング機構とが再生基板の左右に設置されても、またターンテーブル１１とローデイングローラ１４とで挟まれる狭い空間を介しても、ディスクローディング機構にピックアップ駆動用のモータの動力伝達を行うことができる。また、本実施例では、第一、第二ウォームギヤ２１、２３を細長い回転軸２２で連結したが、両ウォームギヤを棒状に一体成型したものとしてもよい。
【００２５】
すなわち、本実施例では大径小径ディスク（１０，１３）をディスクの挿入口（４）とターンテーブル（１１）上との間で搬送するローディングローラ（１４）と、ターンテーブル上に搬送されたディスクをターンテーブルに挟持するクランパ（３４）と、このクランパとローデイングローラとをディスクに対して接離させる制御部材（３５，３３）と、ターンテーブルからを再生基板（９）のコーナに向けて進退移動するピックアップ（１２）と、このピックアップを進退移動させるピックアップ駆動用のモータ（２０）とを再生基板に備え、このモータで前記ローディングローラと前記ピックアップとを択一的に駆動させるようにしたディスクローディング装置であって、前記再生基板を挿入口側から見て、再生基板の左奥側の縁（９ａ）を切欠くものとし、前記ピックアップをターンテーブルより再生基板の右奥側のコーナ（９ｂ）に向けて移動自在に配置し、前記ローデイングローラまたは制御部材を駆動するギヤ（２７，２８，３０）を再生基板のディスクの搬送路の左側に配置し、該ピックアップを駆動する駆動ギヤ（１８）とピックアップ駆動用のモータ（２０）とを再生基板のディスクの搬送路の右側に配置し、前記駆動ギヤに噛合う第一ギヤ（１９）と前記ギヤに噛合う第二ギヤ（２５）とに噛うウォームギヤ（２１，２３）を該モータに取付け、前記第一ギヤと第二ギヤとを共通のギヤ支持部材（２６）上に取付け、ギヤ支持部材をウォームギヤの軸方向に移動させることで第一ギヤを駆動ギヤに、第二ギヤを前記ギヤに択一的に噛合わせた作動機構への動力伝達切換装置になっている。
【００２６】
なお本実施例では、車載用のディスク再生装置において、やも得ず再生基板の一部を切欠いたディスク再生機に使用した例で説明したがこれに限定されるものではなく、二つの作動機構を引き離して配置するような場合において、一方の作動機構を駆動するモータで他方の作動機構を狭い空間を介して、しかも簡単に駆動切換えすることができる。
【００２７】
【発明の効果】
本発明では、所定の動作を行なう第一および第二作動機構の一方に、モータの動力を択一的に伝達する場合において、モータに駆動される長尺回転体の一端側に第一ウォームギヤ、他端側に第二ウォームギヤを設ける。そして、第一ウォームギヤに噛合う第一ギヤと第二ウォームギヤに噛合う第二ギヤとを長尺回転体の軸と平行に移動自在なギヤ支持部材にて支持する。そして、第一ギヤに第一作動機構の第一入力ギヤを対峙させ、第二ギヤに第二作動機構の第二入力ギヤを対峙させる。そして、このギヤ支持部材の移動により、長尺回転体の回転を前記第一作動機構と前記第二作動機構とに択一的に伝達させた。第一および第二作動機構への動力伝達を長尺の回転体を介して行うことで、狭い空間を通して動力伝達を行える。また、ギヤ支持部材を移動するだけで、モータの回転を第一作動機構と第二作動機構とに択一的に伝達することができた。
【図面の簡単な説明】
【図１】本発明の作動機構への動力伝達切換装置を示す平面図。
【図２】本発明のディスク再生装置を示す斜視図。
【図３】第一作動機構のモータの回転を第二作動機構に伝達している状態を示す図。
【図４】モータの回転が第二作動機構から第一作動機構に切換わるときの状態を示す図。
【図５】モータの回転が第二作動機構から第一作動機構に切換わった状態を示す図。
【符号の説明】
２０　　モータ
２１　　第一ウォームギヤ
２３　　第二ウォームギヤ
１９　　第一ギヤ
２５　　第二ギヤ
２６　　ギヤ支持部材
１８　　第一入力ギヤ
２７　　第二入力ギヤ
３９　　第一係止片
３８　　第二係止片
【図１】
2004036738.tif 000003
【図２】
2004036738.tif 000004
【図３】
2004036738.tif 000005
【図４】
2004036738.tif 000006
【図５】
2004036738.tif 000007